【手続補正書】
【提出日】平成19年10月15日(2007.10.15)
【手続補正１】
【補正対象書類名】明細書
【補正対象項目名】００１８
【補正方法】変更
【補正の内容】
【００１８】
このカム筒１０８が回転することで、案内筒１０７に形成された光軸方向の案内溝１０７ａ，１０７ｂと、カム筒１０８（第２のカム部材）に形成されたズームカム（変倍カム部）１０８ａ，１０８ｂ，１０８ｃ，１０８ｄとの交点の移動に従い、第３レンズユニットＬ３の保持枠１０９、第４レンズユニットＬ４の保持枠１１０（第３レンズユニットＬ３と保持枠１０９および第４レンズユニットＬ４と保持枠１１０により変倍レンズユニットが構成される）、振れ補正ユニット１１１および直進筒１１２をそれぞれにビス止めされたフォロア１１３〜１１６を介して光軸方向へ移動させることができる。
【手続補正２】
【補正対象書類名】明細書
【補正対象項目名】００３４
【補正方法】変更
【補正の内容】
【００３４】
また、この保持枠１４０の外周部にはフォロア部１４０ａが形成されており、このフォロア部１４０ａは、インナーカム筒１３８の内周に形成されたフォーカスカム（合焦駆動カム）１３８ａと伝達筒（変速機構）１４５に形成された光軸に平行でない非ストレート形状の伝達カム部１４５ａ（変速カム）部に係合している。
【手続補正３】
【補正対象書類名】明細書
【補正対象項目名】００４０
【補正方法】変更
【補正の内容】
【００４０】
そして、本実施例では、伝達カム部１４５ａにおける下側部分（つまり、ズーム広角域での保持枠１４０の移動範囲に対応するフォロワ部１４０ａの係合範囲）は、光軸方向である上下方向に対して図中右上がり方向に傾斜しており、伝達カム部１４５ａにおける中間部分（つまり、ズーム中間域での保持枠１４０の移動範囲に対応するフォロワ部１４０ａの係合範囲）は、光軸方向である上下方向に対して図中左上がり方向に傾斜している。つまり、該伝達カム部１４５ａは、ズーム広角域からズーム中間域にかけて、図２中の右方向に凸状となるように形成されている。
【手続補正４】
【補正対象書類名】明細書
【補正対象項目名】００４２
【補正方法】変更
【補正の内容】
【００４２】
また、広角域にて変倍動作が行われる際には、保持枠１４０はフォロワ部１４０ａと伝達カム部１４５ａにおける下側部分との係合作用により、カム筒１０８およびインナーカム筒１３８とは逆方向に相対的に回転することになる。これにより、カム筒１０８およびインナーカム筒１３８と保持枠１４０との相対回転速度、つまりはフォーカスカム１３８ａ内のフォロア部１４０ａの回転速度は、上記望遠域での変倍動作時に比べて大きくなる。
【手続補正５】
【補正対象書類名】明細書
【補正対象項目名】００４３
【補正方法】変更
【補正の内容】
【００４３】
また、中間域で変倍動作が行われる際には、保持枠１４０は、フォロワ部１４０ａと伝達カム部１４５ａにおける中間部分との係合作用により、カム筒１０８およびインナーカム筒１３８と同じ方向に回転することになる。これにより、カム筒１０８およびインナーカム筒１３８と保持枠１４０との相対回転速度、つまりはフォーカスカム１３８ａ内のフォロア部１４０ａの回転速度は、上記望遠域での変倍動作時に比べて小さくなる。
【手続補正６】
【補正対象書類名】明細書
【補正対象項目名】００５６
【補正方法】変更
【補正の内容】
【００５６】
一方、Ｗ、Ｍ、Ｔでのフォーカスレンズユニットを構成する第２レンズユニットＬ２のフォーカスカムの物体距離に応じたレンズ位置軌跡を示す曲線を、ズームカムでのＷ、Ｍ、Ｔの位置と同じ回転位置を物体距離∞として、また図中右側に向かって物体距離が近づいていくようにして、一本の曲線状に配置（Ｍ・∞で光軸方向位置Ｆ１、Ｔ・∞で光軸方向位置Ｆ２）したものがフォーカスカムである。
【手続補正７】
【補正対象書類名】明細書
【補正対象項目名】００５８
【補正方法】変更
【補正の内容】
【００５８】
しかしながら、この状態でのフォーカスカムは滑らかな一本の曲線とは言い難い。また、図３（ｂ）に示す従来のフォーカスカム最適化状態では、図３（ａ）の状態に対して、各焦点距離での第２レンズユニットＬ２の∞からの回転角とレンズ移動軌跡はそのままで、Ｍ、Ｔでのレンズ位置をずらして（Ｍ・∞で回転方向位置θ３、光軸方向位置Ｆ３、Ｔ・∞で回転方向位置θ２、光軸方向位置Ｆ４）配置することで、フォーカスカムを滑らかな曲線にする。
【手続補正８】
【補正対象書類名】明細書
【補正対象項目名】００６４
【補正方法】変更
【補正の内容】
【００６４】
一方、図３（ｃ）に示す本実施例でのフォーカスカム最適化状態では、図３（ｂ）の状態に対して、ズームカムにおけるＭでの回転方向位置をθ４（＞θ３）とするとともに、変倍動作時におけるフォーカスカム１３８ａ内のフォロア部１４０ａの回転速度を第２レンズユニットＬ２を含むフォーカスレンズユニットの光軸方向位置（すなわち、焦点距離）に応じて変化させる機構（フォロワ部１４０ａと非ストレートカム形状を有する伝達カム部１４５ａとの係合機構）を設け、各焦点距離におけるフォーカスカム１３８ａの使用位置及び使用範囲を補正している。
【手続補正９】
【補正対象書類名】明細書
【補正対象項目名】００６７
【補正方法】変更
【補正の内容】
【００６７】
そして、本実施例では、焦点距離に応じてフォーカスカム１３８ａ内のフォロア部１４０ａの回転速度を変化させる変速機構（伝達筒１４５）が、変倍動作時においてフォーカスカム１３８ａが形成されているインナーカム筒１３８と一体的に光軸方向に移動可能で、かつ焦点調節動作時において光軸周りに対して回転可能に構成されている。
【手続補正１０】
【補正対象書類名】明細書
【補正対象項目名】００６８
【補正方法】変更
【補正の内容】
【００６８】
したがって、特許文献２（フォーカスカム１３８ａ内のフォロア部１４０ａの回転速度を変化させる機構を、本実施例におけるフォーカスキー１２７に相当する部材、すなわち光軸方向には移動しない部材を用いて構成している）と比較して、変倍動作時のフォーカスレンズユニット（第２レンズユニットＬ２）の光軸方向の移動軌跡が光軸方向の同一位置を複数回通過するような場合であっても、該当箇所におけるフォーカスカム１３８ａとフォロア部１４０ａとの係合位置の移動速度を同じ速度にする必要がない。
【手続補正１１】
【補正対象書類名】明細書
【補正対象項目名】００６９
【補正方法】変更
【補正の内容】
【００６９】
このため、焦点距離に応じてインナーカム筒１３８とフォーカスレンズユニットに設けられたフォロア部１４０ａとの係合位置の移動速度を変化させることができるので、変倍時におけるフォーカスレンズユニットのスムーズな移動が可能となり、各焦点距離でのインナーカム筒１３８とフォーカスレンズユニットのフォロア部１４０ａとの係合位置および係合範囲を円滑、かつ適正に行うことが可能となり、変倍時のピント変動を充分小さい値に抑えつつ、良好な変倍動作の操作性が得られる光学機器を実現することが可能となる。
【手続補正１２】
【補正対象書類名】明細書
【補正対象項目名】００７０
【補正方法】変更
【補正の内容】
【００７０】
言い換えれば、変倍時に光軸方向に移動する伝達筒（変速機構）１４５が焦点距離に応じてフォーカスレンズユニットのフォーカスカム１３８ａに対する回転速度および回転方向のうち少なくとも一方を変化させて、フォーカスカム１３８ａとフォロア部１４０ａとの係合位置および係合範囲を補正しているので、フォーカスカム１３８ａの最適化による変倍光学系（変倍レンズユニット）の移動軌跡（つまりは、変倍カムの形状）への影響を軽減することが可能となる。
【手続補正１３】
【補正対象書類名】明細書
【補正対象項目名】００７１
【補正方法】変更
【補正の内容】
【００７１】
また、伝達カム部１４５ａの光軸方向からの傾きによって、フォーカスカム１３８ａ内のフォロア部１４０ａの回転速度をフォーカスレンズユニットの光軸方向位置（すなわち、焦点距離）に応じて、θＷ＞θＴ＞θＭとなるように変化させることで、一般的な高倍率ズームレンズ（概ね５倍以上の倍率を有するズームレンズ）の特徴（図３（ａ）でＴを基準とした滑らかなフォーカスカムを想定した時に、Ｍでは移動量が大きくなり過ぎ、Ｗでは逆に小さくなり過ぎる傾向がある）による、フォーカスカム最適化状態でのズームカムの移動軌跡への影響を軽減することができる。
【手続補正１４】
【補正対象書類名】明細書
【補正対象項目名】００７２
【補正方法】変更
【補正の内容】
【００７２】
つまり、伝達筒（変速機構）１４５により、相対回転速度を、広角域での相対回転速度Ｖｗ＞望遠域での相対回転速度Ｖｔ＞中間域での相対回転速度Ｖｍの関係が満たされるよう変化させることにより、フォーカスレンズ移動軌跡の設計値からのずれを小さく抑えることが可能となるとともに、変倍カムにおける広角域と望遠域での光軸回り方向に対する傾き差を小さくすることが可能となり、広角域から望遠域にかけて操作トルクの急激な変化が生じるのを抑えることが可能となる。
【手続補正１５】
【補正対象書類名】明細書
【補正対象項目名】００７３
【補正方法】変更
【補正の内容】
【００７３】
また、光学機器が伝達筒（変速機構）１４５に設けられたキー部（キーフォロア）１４５ｂに係合するキー溝部１２７ａが形成されたフォーカスキー（合焦駆動部材）１２７を有しており、このフォーカスキー１２７が焦点調節動作時に回転してキー溝部１２７ａとキー部１４５ｂとの係合により、回転停止しているインナーカム筒１３８に対して伝達筒１４５を回転駆動させて、フォーカスレンズユニットを光軸方向に駆動する構成であり、さらに、伝達筒１４５を、フォーカスレンズユニットに設けられたフォロア部１４０ａに係合する少なくとも一部が光軸と平行でない非ストレート形状のカムによって構成しているため、容易、かつ簡略化された伝達筒１４５を構成することが可能となる。
【手続補正１６】
【補正対象書類名】明細書
【補正対象項目名】００８０
【補正方法】変更
【補正の内容】
【００８０】
１３８    インナーカム筒（第１のカム部材）
１３８ａ  フォーカスカム
１４０    保持枠
１４５    伝達筒（変速機構）
Ｌ２      第２レンズユニット
【手続補正１７】
【補正対象書類名】図面
【補正対象項目名】図１
【補正方法】変更
【補正の内容】
【図１】
2006113289.tif 000001
【手続補正１８】
【補正対象書類名】図面
【補正対象項目名】図３
【補正方法】変更
【補正の内容】
【図３】
2006113289.tif 000002